(57)【要約】      （修正有）【課題】簡単な構成で、棚板の長手方向に安定して移動させることができるブックエンドを有する本棚を提供する。【解決手段】棚板２の長手方向に移動可能なブックエンド５を有する本棚であって、本棚の後方に設けられ、棚板の長手方向と平行に延びるスリット８を形成する背板３と、ブックエンド５と対応して背板３の背面側に配置される押さえ部材６と、背板３のスリット８を通りブックエンド５の後端面と押さえ部材６とを結合する連結部材７とを備えている。ブックエンド５の前方端面５ａが下方から上方に向かって後方に後退するよう傾斜しており、収容物をディスプレイすることができる。【選択図】図１
0003206332.tif 000002
【実用新案登録請求の範囲】
【請求項１】
棚板の長手方向に移動可能なブックエンドを有する本棚であって、
前記本棚の後方に設けられ、棚板の長手方向と平行に延びるスリットを形成する背板と、
前記ブックエンドと対応して前記背板の背面側に配置される押さえ部材と、
前記背板のスリットを通り前記ブックエンドの後端面と前記押さえ部材とを結合する連結部材とを備えていることを特徴とする本棚。
【請求項２】
前記棚板が前記背板よりも後方に突出しており、
前記押さえ部材は、前記ブックエンドの姿勢が鉛直方向から傾いた状態となることにより、前記棚板の前記背板よりも後方に突出した部分と係合する大きさに成形されていることを特徴とする請求項１に記載の本棚。
【請求項３】
前記スリットが複数形成されており、
前記連結部材は、前記各スリットを通るよう複数設けられていることを特徴とする請求項１に記載の本棚。
【請求項４】
前記連結部材間の幅と前記スリット間の幅は、前記ブックエンドの姿勢が鉛直方向から傾いた状態となることにより、前記連結部材が前記スリットにそれぞれ係合する関係に成形されていることを特徴とする請求項３に記載の本棚。
【請求項５】
前記ブックエンドの前方端面が下方から上方に向かって後方に後退するよう傾斜していることを特徴とする請求項１〜４のいずれか１項に記載の本棚。
【考案の詳細な説明】
【技術分野】
【０００１】
本考案は、本棚に関し、さらに詳しくは、棚板の長手方向に移動可能なブックエンドを有する本棚に関する。
なお、本考案の本棚は、収容する対象が本だけに限定されることはなく、例えば、ＣＤや、ＤＶＤ、ＢＤ（ブルーレイディスク）などを含むことができる。以下の説明では、これらの収納するものを総じて収容物と称することとする。また、本考案におけるブックエンドは、収容物を区分し、また、立てた状態で収納した収納対象が不用意に倒れることのないよう押さえて、その立てた状態を保持するためのものである。
【背景技術】
【０００２】
本考案に関連する従来の技術としては、例えば特許文献１が知られている。
特許文献１には、四隅に立設される支柱１ａ,１ｂ,１'ａ,１'ｂに囲まれる部位に、棚板２，３を配設して本棚本体を形成し、該本体の長手方向の少なくとも一方の支柱１ｂ１'ｂ,間に横杆７ａ，７ｂを横架し、該横杆に所定の収納スペース９を有するブックエンド８ａ，８ｂを前記横杆７ａ，７ｂに沿って移動，横杆７ａ，７ｂに対して回動自在に取り付けてなる本棚が開示されている。
【０００３】
そして、特許文献１の段落０００６には、「横杆７ａ，７ｂには、略Ｌ字状のブックエンド８ａ，８ｂが横杆７ａ，７ｂの水平方向に移動可能に且つ回動自在に遊着されている。よって本の収納量に応じてブックエンド８ａ，８ｂを移動し、本押さえとして使用することができる。」などと記載されており、また図２には、ブックエンド本体８の背面と側面との角部に横杆７ａ，７ｂを挿通するための孔を設けるとともに、ブックエンド本体８の背面が挿通された横杆７ａ，７ｂを包み込むように弛みを有する構成が開示されている。
【先行技術文献】
【特許文献】
【０００４】
【特許文献１】実開平５−７４３３３号公報
【考案の概要】
【考案が解決しようとする課題】
【０００５】
上記特許文献１にあっては、ブックエンド本体８の背面と側面との角部の、横杆７ａ，７ｂを挿通するための孔が広がらないようにするなど、強度を持たせる必要があった。また、特許文献１にあっては、横杆７ａ，７ｂを挿通するための孔と、挿通された横杆７ａ，７ｂを包み込むようにブックエンド本体８の背面に弛みを持たせるように構成することは、現実として困難であった。
【０００６】
さらに、上記特許文献１にあっては、ブックエンド本体８の背面と側面との角部に設けられた孔に横杆７ａ，７ｂを挿通するだけの構成であるため、ブックエンド本体８が棚板２，３長手方向に不用意に移動し易く、本棚に立てた状態で収容された収容物が倒れ込むのに伴ってブックエンド本体８が移動したり収容物に伴ってブックエンド本体８も倒れ込むのを防止することができないという問題があった。
【０００７】
さらにまた、上記特許文献１にあっては、ブックエンド本体８が略Ｌ字状をなすために、装丁が気にいった本やジャケットが気に入ったＣＤなど、収容物を本棚の前方に向けて安定してディスプレイすることができないという問題があった。
【０００８】
本考案は、上述した問題に鑑みてなされたもので、簡単な構成で、棚板の長手方向に安定して移動させることができるブックエンドを有する本棚を提供することを目的とする。
また、本考案は、ブックエンドが不用意に棚板の長手方向に移動したり、収容物と共にブックエンドが倒れ込むのを防止し、必要あるときだけブックエンドを棚板の長手方向に容易に移動させることができる本棚を提供することを目的とする。
さらにまた、本考案は、収容物を本棚の前方に向けて安定してディスプレイすることができる本棚を提供することを目的とする。
【課題を解決するための手段】
【０００９】
請求項１の本棚に係る考案は、上記目的を達成するため、棚板の長手方向に移動可能なブックエンドを有する本棚であって、前記本棚の後方に設けられ、棚板の長手方向と平行に延びるスリットを形成する背板と、前記ブックエンドと対応して前記背板の背面側に配置される押さえ部材と、前記背板のスリットを通り前記ブックエンドの後端面と前記押さえ部材とを結合する連結部材とを備えていることを特徴とする。
請求項２の本棚に係る考案は、上記目的を達成するため、請求項１に記載の考案において、前記棚板が前記背板よりも後方に突出しており、前記押さえ部材は、前記ブックエンドの姿勢が鉛直方向から傾いた状態となることにより、前記棚板の前記背板よりも後方に突出した部分と係合する大きさに成形されていることを特徴とする。
請求項３の本棚に係る考案は、上記目的を達成するため、請求項１に記載の考案において、前記スリットが複数形成されており、前記連結部材は、前記各スリットを通るよう複数設けられていることを特徴とする。
請求項４の本棚に係る考案は、上記目的を達成するため、請求項３に記載の考案において、前記連結部材間の幅と前記スリット間の幅は、前記ブックエンドの姿勢が鉛直方向から傾いた状態となることにより、前記連結部材が前記スリットにそれぞれ係合する関係に成形されていることを特徴とする。
請求項５の本棚に係る考案は、上記目的を達成するため、請求項１〜４のいずれか１項に記載の考案において、前記ブックエンドの前方端面が下方から上方に向かって後方に後退するよう傾斜していることを特徴とする。
【考案の効果】
【００１０】
請求項１の考案では、収容物が載置される棚板上に位置するブックエンドと本棚の後方に設けられた押さえ部材との間に背板が挟まれるように位置し、連結部材がスリットを通りブックエンドと押さえ部材とを結合する。ここで、棚板は、その長手方向が本棚の幅方向と一致している。スリットは棚板の長手方向と平行に延びている。連結部材は、スリットに沿って案内され移動することができる。
請求項１の考案によれば、簡単な構成で、ブックエンドを棚板の長手方向、すなわち本棚の幅方向に移動させることができる。
請求項２の考案では、請求項１に記載の考案において、ブックエンドの姿勢が鉛直方向に起立した状態では、押さえ部材は、棚板の背板よりも後方に突出した部分に係合することはなく、したがって、連結部材によって結合されたブックエンドと共にスリットに沿って移動することができる。一方、収容物が倒れ込むことなどによりブックエンドの姿勢が鉛直方向から傾いた状態となると、押さえ部材が棚板の背板よりも後方に突出した部分と係合する。そのため、連結部材によって押さえ部材と結合されたブックエンドは、スリットに沿って棚板の長手方向、すなわち本棚の幅方向に移動することがなく、また、収容物に伴って倒れ込むことがない。そして、ブックエンドの姿勢を鉛直方向に起立させるよう戻すと、押さえ部材の棚板の背板よりも後方に突出した部分に対する係合が解除され、ブックエンドを再びスリットに沿って棚板の長手方向、すなわち本棚の幅方向に移動させることが可能となる。
請求項２の考案によれば、請求項１に記載の考案において、簡単な構成で、ブックエンドが不用意に棚板の長手方向に移動したり倒れ込むのを防止し、必要あるときだけブックエンドを棚板の長手方向に容易に移動させることができる。
請求項３の考案では、請求項１に記載の考案において、連結部材は、複数形成されたスリットと対応して複数設けられており、各スリットをそれぞれ通ってブックエンドと押さえ部材を連結する。
請求項３の考案によれば、請求項１に記載の考案において、簡単な構成で、ブックエンドを安定して棚板の長手方向、すなわち本棚の幅方向に移動させることができる。
請求項４の考案では、請求項３に記載の考案において、ブックエンドの姿勢が鉛直方向に起立した状態では、各連結部材は、各スリットにそれぞれ係合することはなく、したがって、ブックエンドおよび押さえ部材と共にスリットに沿って移動することができる。一方、収容物が倒れ込むことなどによりブックエンドの姿勢が鉛直方向から傾いた状態となると、各連結部材は、各スリットにそれぞれ係合する。
そのため、連結部材により押さえ部材と結合されたブックエンドは、スリットに沿って棚板の長手方向、すなわち本棚の幅方向に移動することがなく、また、収容物に伴って倒れ込むことがない。そして、ブックエンドの姿勢を鉛直方向に起立させるよう戻すと、各連結部材の各スリットに対する係合が解除され、ブックエンドを再びスリットに沿って棚板の長手方向、すなわち本棚の幅方向に移動させることが可能となる。
請求項４に記載の考案によれば、請求項３に記載の考案において、簡単な構成で、ブックエンドが不用意に棚板の長手方向に移動したり倒れ込むのを防止し、必要あるときだけブックエンドを棚板の長手方向に容易に移動させることができる。
請求項５の考案では、請求項１〜４のいずれか１項に記載の考案において、ディスプレイしたい収容物を本棚の前方に向けてブックエンドの前の位置で棚板上に置き、下方から上方に向かって後方に後退するよう傾斜しているブックエンドの前方端面に沿わせる。
請求項５に記載の考案によれば、請求項１〜４のいずれか１項に記載の考案において、収容物を棚の前方に向けて安定してディスプレイすることができる。
【図面の簡単な説明】
【００１１】
【図１】本考案の本棚の実施の一形態を示した正面図（ａ）と、そのｂ−ｂ断面図（ｂ）、およびｃ−ｃ断面図（ｃ）である。
【図２】図１に示したブックエンドの斜視図である。
【図３】収容物の倒れ込みに伴って、ブックエンドが鉛直方向から傾いた状態を示した部分正面図である。
【図４】ブックエンドの姿勢が鉛直方向から傾いた状態となって、押さえ部材が棚板の背板よりも後方に突出した部分と係合した状態の実施の形態を説明するために一部を拡大して示した背面図である。
【図５】ブックエンドの姿勢が鉛直方向から傾いた状態となって、結合部材がスリットに係合した状態の実施の形態を説明するために一部を拡大して示した正面図である。
【考案を実施するための形態】
【００１２】
本実施の形態の本棚の実施の一形態における基本的な構成を、図１〜図３に基づいて詳細に説明する。
本考案の本棚は、一対の側板１、１と、側板１、１間に配設される棚板２と、本棚の後方に設けられる背板３と、ブックエンド５とを備えている。なお、側板１、１の上端には天板４が、また下端には底板２’が設けられる。底板２’は、その上面に収容物Ｂを載置することができるため、棚板２に含むことができる。また、天板４の上面にも収容物Ｂを必要に応じて載置することができる。側板１、１と、棚板２および底板２’または天板４と、背板３とにより、本棚の前方に開放する収容部Ｓが形成される。ブックエンド５は、収容部Ｓ内に配置され、本棚の幅方向、つまり棚板２、底板２’の長手方向に移動することが可能となっている。なお、棚板２は、収容物Ｂの高さなどに応じて、その位置を調整して側板１、１と結合することができる。
【００１３】
ここで、本棚の幅方向とは、正面図で示した図１の（ａ）または横断平面図で示した図１の（ｂ）における左右の方向であり、本棚の後方とは、横断平面図で示した図１の（ｂ）における上方向、または縦断側面図で示した図１の（ｃ）における左方向であり、本棚の前方とは、横断平面図で示した図１の（ｂ）における下方向、または縦断側面図で示した図１の（ｃ）における右方向であることとする。そして、棚板２、底板２’の長手方向は、本棚の幅方向と一致している。
【００１４】
図１に示した実施の形態では、背板３は、各収容部Ｓ毎に、上背板３Ａと、中背板３Ｂと、下背板３Ｃとにより構成されている。そして、背板３は、本棚の後方面（背面ともいう）から僅かに前方に配設される。これを言い換えれば、棚板２、２または底板２’には、背板３より後方に突出した部分２０が形成される。そのため、各背板３の後方には、わずかな奥行寸法（本棚の前後方向における長さ）の空間Ｔが形成されている。空間Ｔの奥行寸法は、押さえ部材６（後述する）の厚さと同じか、または僅かに大きく設定される。上背板３Ａと中背板３Ｂとの間、および中背板３Ｂと下背板３Ｃとの間は、所定の間隔（この間隔についても、後述する。）で離されており、中背板３Ｂの上下に位置する一対のスリット８、８を形成している。
【００１５】
押さえ部材６は、この実施の形態の場合、表面が矩形の板状に成形されている。押さえ部材６の板厚は、各背板３の後方に形成される空間Ｔの奥行寸法とほぼ同じか僅かに薄い寸法に設定されている。ブックエンド５の後端面と押さえ部材６とは、各スリット８を隙間をもって通る一対の連結部材７、７により結合されている。一対の連結部材７、７が一対のスリット８、８に隙間をもって通されているため、ブックエンド５は、図３に示すように、収容物の倒れ込み等によって押されて、その姿勢が鉛直方向から僅かに傾くことができるが、棚板２、底板２’の表面と平行になるように完全に倒れ込むことがない。したがって、スリット８内を連結部材７が案内されて、ブックエンド５を棚板２、底板２’の長手方向に安定して移動させることができる。
【００１６】
ブックエンド５は、板状のもので、収容物Ｂを分類区分し、また棚板２、底板２’上に立てた状態で収容された収容物が倒れ込まないように押さえる役割を果たすものである。ブックエンド５は、図１の（ｃ）および図２に示すように、その前端面５ａが下方から上方に向かって後方に後退するよう傾斜する表面が略台形形状に成形されていることが好ましい。そして、ブックエンド５は、その前端面と下端面との角部５ｂが、棚板２、底板２’の前端縁よりも後方に位置するよう成形されている。これにより、例えば装丁が気にいった本やジャケットが気に入ったＣＤあるいはＤＶＤやＢＤなど、収容物Ｂを本棚の前方に向けて棚板２、底板２’上であってブックエンド５の角部５ｂの前方に載置し、ブックエンド５の前端面５ａに沿って傾け支持させることにより、ブックエンド５を収容物Ｂのディスプレイとして使用することができる。そして収容物Ｂは、ブックエンド５の前端面５ａにより安定して支持される。
【００１７】
次に、図３に示したように収容物Ｂに倒れ込みなどが生じた場合に、ブックエンド５が不用意に移動しないようにするための構成を図４に基づいて説明する。なお、図４は、図３の反対側、つまり本棚の後方からみた背面図であるため、ブックエンド５の傾きが図３と図４で逆となっている。
【００１８】
図４に示すように、押さえ部材６は、その上下方向に延びる長辺の長さＬ１が、棚板２、２または底板２’間の高さＨよりも短く、且つ、その互いに隣接しない角部６ａ、６ａの対角線の長Ｌ２さが棚板２、２または底板２’間の高さＨよりも長くなるように成形されている。そのため、ブックエンド５の姿勢が鉛直方向となっている場合には、押さえ部材５が棚板２、２または底板２’の、背板３よりも後方に突出した部分２０の表面から離れており、ブックエンド５を棚板２、底板２’の長手方向に容易に安定して移動させることができる。これに対して、収容物Ｂの倒れ込みなどによってブックエンド５が鉛直方向から傾いた状態となると、連結部材７を介して結合された押さえ部材６の互いに隣接しない角部６ａ、６ａが、棚板２、底板２’の背板３よりも後方に突出した部分２０の表面に係合して、ブックエンド５が固定される。そのため、ブックエンド５が不用意に移動するのを防止することができる。そして、ブックエンド５の姿勢を傾いた状態から鉛直方向に戻すと、押さえ部材６の互いに隣接しない角部６ａ、６ａが棚板２、底板２’の背板３よりも後方に突出した部分２０の表面から離れてその係合が解除されることとなり、再びブックエンド５を棚板２、底板２’の長手方向に移動させることができるようになる。
【００１９】
なお、この実施の形態においては、スリット８と連結部材７をそれぞれ一対で構成して、ブックエンド５の倒れ込みを規制しているが、スリット８と連結部材７をそれぞれ単一で構成してもよい。この場合には、ブックエンド５が倒れ込んでその姿勢が傾くと、スリット８内で連結部材７が回転し、連結部材７を中心としてブックエンド５が倒れ込むことが考えられる。しかしながら、この場合であっても、ブックエンド５の姿勢が鉛直方向から傾いた状態となると、押さえ部材６の互いに隣接しない角部６ａ、６ａが、棚板２、底板２’の背板３よりも後方に突出した部分２０の表面に係合するため、ブックエンド５が不要意に倒れ込むのを防止することができる。
【００２０】
次に、図４とは異なる実施の形態を図５に基づいて説明する。この説明においても、本棚の基本的な構成は上述した通りである。なお、この実施の形態を説明する便宜上、図５は、連結部材７で破断してブックエンド５を仮想線（二点鎖線）で示した正面図とする。そのため、図５は、ブックエンド５の傾きが図３と同じ方向で示されている。
図５に示した実施の形態の場合、連結部材７、７間の間隔Ｗ１は、中背板３Ｂの上下方向の幅Ｗ２、つまりスリット８、８間の間隔Ｗ２よりも僅かに長くなるように設定されている。そのため、ブックエンド５の姿勢が鉛直方向となっている場合には、連結部材７がスリット８に係合することはなく遊嵌された状態であるため、ブックエンド５を棚板２、下板２’の長手方向に容易に安定して移動させることができる。これに対して、収容物Ｂの倒れ込みなどによってブックエンド５の姿勢が鉛直方向から傾いた状態となると、一対の連結部材７、７が中背板３Ｂを挟むようにしてスリット８、８に係合して、ブックエンド５を固定することとなる。そのため、ブックエンド５が不用意に移動するのを防止することができる。そして、ブックエンド５の姿勢を傾いた状態から鉛直方向に戻すと、連結部材７、７が中背板３Ｂから離れてその上下に位置するスリット８、８に対する係合が解除されることとなり、再びブックエンド５の棚板２、底板２’の長手方向に移動させることができるようになる。
【００２１】
本実施の形態の本棚は、例えば、ブックエンド５の後端面に予め連結部材７の前端を結合しておき、側板１と棚板２、天板４、底板２’、背板３を組み立てた後に、スリット８に連結部材７を通してからその後端に押さえ部材６を結合してもよく、また例えば、ブックエンド５と押さえ部材６とを予め連結部材７により結合しておき、側板１と棚板２、天板４、底板２’を組み立てた後に、ブックエンド５と押さえ部材６との間に背板３を挟み込んで、その背板３の両端を棚板に取り付けるなど、特に組み立てる手順に限定されることなく、組み立てが可能である。
【００２２】
本実施の形態の本棚は、収容部Ｓに設けるブックエンド５の数を限定されることはなく、必要に応じて、収容部Ｓ毎にブックエンド５を設ける数を変更し、また、ブックエンド５を設けない収容部Ｓがあってもよい。
【符号の説明】
【００２３】
２：棚板、  ２’：底板（棚板）、  ３：背板、  ５：ブックエンド、  ５ａ：前端面、  ６：押さえ部材、  ７：連結部材、  ８：スリット、  ２０：棚板の背板よりも後方に突出した部分
【図１】
0003206332.tif 000003
【図２】
0003206332.tif 000004
【図３】
0003206332.tif 000005
【図４】
0003206332.tif 000006
【図５】
0003206332.tif 000007